(57)【要約】【課題】ベアリングユニットの玉軸受内輪を止めねじで回転軸に回り止めする際に、止めねじが回転軸に過剰に押し付けられることで内輪が変形破損するのを簡易に防止する。【解決手段】軸受箱１０に組み込まれた玉軸受２０の内輪延長部２１ａに形成された取り付け孔２１ｂに、止めねじ３０をねじ込んで回転軸Ｓに押し付けることで回り止めする。止めねじ３０の本体３１は、先端部のポケット３１ｂにボール３２を保持し、ポケット３１ｂのボール３２背部には板ばね３３が組み込まれている。ボール３２がポケット３１ｂに押し込まれると、板ばね３３に反発力が生じることで、ボール３２は回転軸Ｓに対して弾性的に押し付けられる。板ばね３３の緩衝作用でボール３２が回転軸Ｓに過剰に押し付けられることがないため、止めねじ３０の締め付け時に内輪２１に過大な締め付けトルクが発生するのが抑制される。そのため、内輪２１が変形破損するのが簡易な構造で防止される。【選択図】図３
2009293764.tif 000002
【特許請求の範囲】
【請求項１】
軸受箱１０と、
この軸受箱１０内に組み込まれ、内輪２１と、この内輪２１の外側に配置されて前記軸受箱１０の内径面１１に対向する外輪２２と、前記内輪２１と外輪２２の間に配置された複数の転動体２３と、を有する転がり軸受２０と、
前記転がり軸受２０の内輪２１を機器の回転軸Ｓに対して回り止めするための回り止め具と、を備えるベアリングユニット１であって、
前記転がり軸受２０の内輪２１は、径方向に貫通する取り付け孔２１ｂを有し、
前記回り止め具は、前記取り付け孔２１ｂに差し込まれる押圧体３２、３６と、この押圧体３２、３６を前記機器の回転軸Ｓに弾性的に押し付けるための弾性体３３、３４、３５と、を備えるベアリングユニット。
【請求項２】
軸受箱１０と、
この軸受箱１０内に組み込まれ、内輪２１と、この内輪２１の外側に配置されて前記軸受箱１０の内径面１１と対向する外輪２２と、前記内輪２１と外輪２２の間に配置された複数の転動体２３と、を有する転がり軸受２０と、
前記転がり軸受２０の外輪２２を前記軸受箱１０に対して回り止めするための回り止め具と、を備えるベアリングユニット１であって、
前記転がり軸受２０の外輪２２は、径方向に貫通する取り付け孔２２ｂを有し、
前記回り止め具は、前記取り付け孔２２ｂに差し込まれる押圧体３２、３６と、この押圧体３２、３６を前記軸受箱１０の内径面１１に弾性的に押し付けるための弾性体３３、３４、３５と、を備えるベアリングユニット。
【請求項３】
前記取り付け孔２１ｂ、２２ｂは、ねじ孔であり、
前記回り止め具は、前記ねじ孔にねじ込み可能な止めねじ本体３１と、この止めねじ本体３１の先端部に回転可能に組み込まれる前記押圧体としての押圧ボール３２と、この押圧ボール３２を止めねじ本体３１の先端方向に付勢するための前記弾性体３３と、からなる止めねじ３０である請求項１または２に記載のベアリングユニット。
【請求項４】
前記止めねじ本体３１は、その先端部において開口するポケット３１ｂを備え、
前記押圧ボール３２は、前記ポケット３１ｂ内にその一部が開口から突出する状態に保持され、
前記弾性体３３は、前記ポケット３１ｂ内の押圧ボール３２の背部に組み込まれる請求項３に記載のベアリングユニット。
【請求項５】
前記弾性体は、前記内輪２１の外径面に外嵌する弾性環状体３４と、
この弾性環状体３４の内周面に形成されて前記内輪２１の取り付け孔２１ｂに臨み、前記押圧体３２、３６を前記機器の回転軸Ｓに弾性的に押し付けるための弾性凸部３５と、を備える請求項１に記載のベアリングユニット。
【請求項６】
前記弾性体は、前記外輪２２の内径面に内嵌する弾性環状体３４と、
この弾性環状体３４の外周面に形成されて前記外輪２２の取り付け孔２２ｂに臨み、前記押圧体３２、３６を前記軸受箱１０の内径面１１に弾性的に押し付けるための弾性凸部３５と、を備える請求項２に記載のベアリングユニット。
【請求項７】
前記押圧体は、前記取り付け孔２１ｂ、２２ｂにスライド可能に差し込まれる柱状の押圧こま３６である請求項５または６に記載のベアリングユニット。
【請求項８】
前記押圧体３２、３６の前記取り付け孔２１ｂ、２２ｂからの突出許容量を規制するための規制部を備える請求項１から７のいずれかに記載のベアリングユニット。
【請求項９】
前記規制部は、前記取り付け孔２１ｂ、２２ｂの内周面に形成されて、前記回り止め具の一部が当たることで前記押圧体３２、３６の前記取り付け孔２１ｂ、２２ｂからの突出許容量を規制する段部２１ｃ、２２ｃである請求項８に記載のベアリングユニット。
【請求項１０】
先端部に開口するポケット３１ｂを有し、ねじ孔にねじ込み可能な止めねじ本体３１と、
前記ポケット３１ｂ内にその一部が開口から突出する状態に保持される押圧ボール３２と、
前記ポケット３１ｂ内の押圧ボール３２の背部に組み込まれた弾性体３３と、を備える止めねじ。
【発明の詳細な説明】
【技術分野】
【０００１】
この発明は、転がり軸受を軸受箱に組み込んだベアリングユニットおよびこのベアリングユニットを固定対象に回り止めするための止めねじに関する。
【背景技術】
【０００２】
内輪と外輪の間に複数の転動体が配設された転がり軸受を、軸受箱内に組み込んで形成されるベアリングユニット（転がり軸受ユニット）は、機器への取り付けが容易で軸受周りの設計が不要である。
そのため、コンベアベルトや帯状体を巻き掛けるローラ等の回転軸の支持等に幅広く用いられている。
【０００３】
このようなベアリングユニットの機器の回転軸に対する回り止めの方法として、特許文献１のように、その転がり軸受の内輪の軸方向への延長部に、径方向に貫通するねじ孔を設け、このねじ孔に止めねじをねじ込み、止めねじの先端部が内輪の内径面に嵌合された回転軸の外周を締め付ける方法が知られている。
【０００４】
そしてこのような回り止め具としての止めねじとしては、非特許文献1のように、止めねじ本体の先端部に押圧ボールを回転可能に組み込んだものが知られている。
この止めねじの前記内輪延長部のねじ孔へのねじ込み時には、止めねじ本体は回転軸と非接触状態にあって、その先端部に組み込まれた押圧ボールだけが機器の回転軸の外周に押し付けられることになる。
【０００５】
そして、回転軸が熱膨張等によって軸方向に微少量変位した場合には、この押圧ボールが回転軸の変位に追随して回転することでその変位量を吸収する。
したがって、回転軸と非接触の止めねじ本体は動かないようになっている。
このようにして、回転軸が変位した際にも、止めねじ本体が動いて緩むことが抑制されており、押圧ボールがない止めねじ（特許文献1の図1参照）に比べて優れた緩み止め効果を発揮することになる。
【特許文献１】特開２００８−５７５５４号公報
【非特許文献１】ＮＴＮ株式会社編集チーム著「ベアリングがわかる本」工業調査会出版、発行日２００７年５月２５日、第３章ベアリングユニット（Ｐ１１５−１３４）等
【発明の開示】
【発明が解決しようとする課題】
【０００６】
しかし、上記のように止めねじ本体の先端部に単に押圧ボールを組み込んだだけの構成では、止めねじ本体を締め付けすぎる（ねじ孔にねじ込みすぎる）と、押圧ボールが回転軸の外周に過剰に押し付けられてしまう。
そのため、回転軸の変位に追随する押圧ボールの回転動作がスムーズに行われず、押圧ボールによる回転軸の変位量の吸収が不十分となり、その結果止めねじ本体が動いて緩んでしまう可能性が残されている。
【０００７】
また、止めねじを締め付けすぎると、過大な締め付けトルクによって転がり軸受の内輪およびその内径面にある転送面が変形してしまい、内輪や転動体のスムーズな回転を損なうおそれもある。
さらに、締め付けトルクが特に大きい場合には、内輪がその負荷に耐え切れずに割れてしまう（クラックを生じる）などして破損するおそれもある。
【０００８】
ところで、止めねじの締め付け作業は工員が手作業で行っているため、上記のような押圧ボールの過剰な押し付けや、内輪の変形および破損が生じないように、締め付けの度合いを調節するのは熟練を要し手間がかかる。
【０００９】
以上においては、ベアリングユニットに組み込まれた軌道輪のうち、内輪を回転軸に対して回り止めした際の問題について例示したが、外輪を軸受箱に対して回り止めした際にも全く同様の問題が生じうる。
すなわち、止めねじの締め付け過大にともなう外輪の変形および破損の問題、止めねじが緩む問題、止めねじの締め付け具合を手作業で調節するのは手間がかかる問題、が生じうる。
【００１０】
また、以上においては、回り止め具として押圧ボールを組み込んだ止めねじを例示したが、他の回り止め具を採用した際にも、同様の問題が生じうる。
すなわち、その回り止め具が固定対象物に過剰に押し付けられることで軌道輪の変形破損が生じ得るし、またこの変形破損を防止するための回り止め具の押し付け具合を、手作業で調節するとなると手間がかかる。
【００１１】
そこで、この発明の解決すべき課題は、ベアリングユニットの転がり軸受を回り止め具で回り止めする際に、回り止め具が固定対象物に過剰に押し付けられて転がり軸受の軌道輪が変形破損するのを簡易に防止することである。
【課題を解決するための手段】
【００１２】
上記した課題を解決するため、この発明のベアリングユニットでは、その転がり軸受の軌道輪に貫通する取り付け孔を設け、この取り付け孔に差し込んだ押圧体を固定対象に弾性体を用いて弾性的に押し付けることで回り止めする構成を採用したのである。
【００１３】
詳細には、軸受箱と、この軸受箱内に組み込まれ、内輪と、この内輪の外側に配置されて前記軸受箱の内径面と対向する外輪と、前記内輪と外輪の間に配置された複数の転動体と、を有する転がり軸受と、前記転がり軸受の内輪を機器の回転軸に回り止めするための回り止め具と、を備えるベアリングユニットについて、前記転がり軸受の内輪は、径方向に貫通する取り付け孔を有し、前記回り止め具は、前記取り付け孔に差し込まれる押圧体と、この押圧体を前記機器の回転軸に弾性的に押し付けるための弾性体と、を備える構成を採用したのである。
【００１４】
また詳細には、軸受箱と、この軸受箱内に組み込まれ、内輪と、この内輪の外側に配置されて前記軸受箱の内径面と対向する外輪と、前記内輪と外輪の間に配置された複数の転動体と、を有する転がり軸受と、前記転がり軸受の外輪を前記軸受箱に回り止めするための回り止め具と、を備えるベアリングユニットについて、前記転がり軸受の外輪は、径方向に貫通する取り付け孔を有し、前記回り止め具は、前記取り付け孔に差し込まれる押圧体と、この押圧体を前記軸受箱の内径面に弾性的に押し付けるための弾性体と、を備える構成を採用したのである。
【００１５】
以上の構成を採用すると、押圧体が弾性体により固定対象（回転軸、軸受箱）に対して弾性的に押し付けられることで、軌道輪の回り止めがなされることになる。
弾性体の緩衝作用で押圧体が固定対象に過剰に押し付けられることがなく、したがって軌道輪に過大な締め付けトルクが負荷されることがないため、軌道輪が変形破損するのが防止される。
押圧体の固定対象に対する押し付け力は、弾性体の弾性によって一定以下に自動調整されるため、押し付け具合が過大とならないように手作業で調整する手間がかからない。
【００１６】
前記取り付け孔は、ねじ孔であり、前記回り止め具は、前記ねじ孔にねじ込み可能な止めねじ本体と、この止めねじ本体の先端部に回転可能に組み込まれた前記押圧体としての押圧ボールと、この押圧ボールを止めねじ本体先端方向に付勢するための前記弾性体と、からなる止めねじであるのが好ましい。
【００１７】
この場合において、前記止めねじ本体は、その先端部において開口するポケットを備え、前記押圧ボールは、前記ポケット内にその一部が開口から突出する状態に保持され、前記弾性体は、前記ポケット内の押圧ボールの背部に組み込まれるのがさらに好ましい。
【００１８】
内輪を機器の回転軸に固定する場合には、前記弾性体は、前記内輪の外径面に外嵌する弾性環状体と、この弾性環状体の内周面に形成されて前記取り付け孔に臨む弾性凸部と、を備え、前記押圧体は、前記弾性凸部により前記機器の回転軸に弾性的に押し付けられるのが好ましい。
また、外輪を軸受箱に固定する場合には、前記弾性体は、前記外輪の内径面に内嵌する弾性環状体と、この弾性環状体の外周に形成されて前記取り付け孔に臨む弾性凸部と、を備え、前記押圧体は、前記弾性凸部により前記軸受箱の内径面に弾性的に押し付けられるのが好ましい。
【００１９】
この場合において、前記押圧体は、前記取り付け孔にスライド可能に差し込まれる柱状の押圧こまであるのがさらに好ましい。
【００２０】
前記押圧体の前記取り付け孔からの許容突出量を規制するための規制部を備えるのが好ましい。
この規制部は、前記取り付け孔の内周面に形成され、前記回り止め具の一部が当たることで前記押圧体の前記取り付け孔からの突出許容量を規制する段部であるのがさらに好ましい。
【発明の効果】
【００２１】
ベアリングユニットのころがり軸受について、軌道輪に取り付け孔を形成して押圧体を差しこみ、この押圧体を弾性体によって固定対象に対して弾性的に押し付けて軌道輪を回り止めした。
このため、押圧体が固定対象に過剰に押し付けられることがなく、簡易に軌道輪の変形破損の防止が実現された。
【発明を実施するための最良の形態】
【００２２】
図１から図３に示す第一の実施形態のベアリングユニット１は、中空のピロー型軸受箱１０と、この軸受箱１０内に組み込まれた深溝玉軸受２０と、を備え、コンベアベルト等の機器の回転軸Ｓの支持に用いられる。
【００２３】
図３のように玉軸受２０は、円筒形で外径面に転送面が形成された内輪２１と、内輪２１の径方向の外側に内輪２１と同心に配置され、円筒形で内径面に転送面が形成された外輪２２と、を備える。
また、これら内輪２１と外輪２２の対向する転送面間に配置された転動体としての複数の玉２３と、隣り合う玉２３同士が干渉しないように一定間隔を保持し、かつ玉２３の脱落を防止するための保持器２４と、を備える。
【００２４】
玉軸受２０の内輪２１は機器の回転軸Ｓの外周にはめ込まれ、後述する回り止め具としての止めねじ３０により回転軸Ｓに対して回り止めされている。
また、外輪２２の外径面２２ｄは軸受箱１０の内径面１１にはめ込まれている。
そして軸受箱１０は、その両側方向に張り出した取り付け部１２が機器のハウジングＨ等にボルト止めされ固定されている。
これにより、ベアリングユニット１は回転軸Ｓを回転自在に支持していることになる。
【００２５】
ここで外輪２２の外径面２２ｄは凸球面に形成され、この外径面がはめ込まれる軸受箱１０の内径面１１はこれとほぼ補完形状をなす凹球面に形成されている。
これにより、ベアリングユニット１は調心機能を発揮し、回転軸Ｓに対する取り付け誤差が生じた場合にも玉軸受２０が軸受箱１０に対して微少量傾いてその誤差を吸収できるようになっている。
【００２６】
軸受箱１０の内径面１１には給油溝１３が形成され、玉軸受２０の外輪２２の給油溝１３に対応する位置には径方向に貫通する給油路２２ｅが形成されている。
また、軸受箱１０には径方向に貫通するねじ孔である給油口１４が形成されており、この給油口１４の内端は給油溝１３に通じている。
この給油口１４には軸受箱１０の外径面から給油栓１５がねじ込まれ封じられている。
この給油栓１５を開けると、給油口１４、給油溝１３、給油路２２ｅを通じて、軸受箱１０の外から玉軸受２０の内部へとグリースガン等で潤滑油を供給できるようになっている。
【００２７】
一方、外輪２２は、その軸方向の両側部に耐油性ゴムなどからなるシール部材２５が取り付けられている。
各シール部材２５は、外輪２２から内輪２１に向けて径方向に延びてその先端のリップ２５ａが内輪２１の軸方向の各側部にそれぞれ接触している。
また、内輪２１は、その軸方向の両側部であって、シール部材２５よりも外側に鋼板などからなるスリンガ２６が取り付けられている。
各スリンガ２６は、内輪２１から外輪２２に向けて延びてその先端と外輪２２との間には隙間が形成されている。
これらシール部材２５とスリンガ２６によって玉軸受２０の両端面は二重にシールされ、玉軸受２０の内部に塵埃が侵入しにくくなっている。
また、玉軸受２０に供給された潤滑油の余剰分がリップ２５ａの間を通ってシール部材２５とスリンガ２６の間に誘導されるため、玉軸受２０の密封性が高まるようになっている。
【００２８】
内輪２１のスリンガ２６よりも外側は、軸方向に延長されて延長部２１ａをなし、この延長部２１ａには径方向に貫通するねじ孔である取り付け孔２１ｂが形成されている。
取り付け孔２１ｂは延長部２１ａの周方向の２箇所に形成されている。
この取り付け孔２１ｂには内輪２１の外径方向から回り止め具としての止めねじ３０がねじ込まれており、この止めねじ３０が内輪２１にすきまばめされた回転軸Ｓの外周を締め付けることで内輪２１は回転軸Ｓに対して回り止めされている。
この取り付け孔２１ｂの内輪２１内径面側（回転軸Ｓ側）は、孔径が小さくなることで規制部としての段部２１ｃを形成している。
【００２９】
止めねじ３０は、外周にねじ山を有する円柱形の止めねじ本体３１と、止めねじ本体３１の先端部に配置された押圧体としての押圧ボール３２と、弾性体としての板ばね３３と、を備える。
止めねじ本体３１の径は、取り付け孔２１ｂの段部２１ｃの孔径よりも大きくなっている。
また、止めねじ本体３１の後端部には、角穴３１ａが形成され、この角穴３１ａにレンチ等を係合させることで、止めねじ本体３１を取り付け孔２１ｂに容易にねじ込めるようになっている。
この角穴３１ａは無論、省略可能である。
【００３０】
さらに、止めねじ本体３１の先端部にはポケット３１ｂが形成されている。
有底のポケット３１ｂは止めねじ本体３１の先端において開口し、ポケット３１ｂ内には押圧ボール３２が開口から一部が突出した状態に保持されている。
ポケット３１ｂの底（押圧ボール３２の背部）には、板ばね３３が組み込まれている。
図示のように、板ばね３３はポケット３１ｂの開口に向けて凸に湾曲しており、押圧ボール３２がポケット３１ｂの底に向けて押し込まれると圧縮され、開口に向けた弾性反発力が生じるようになっている。
【００３１】
いま、止めねじ本体３１を取り付け孔２１ｂにねじ込んでいくと、ポケット３１ｂに保持された押圧ボール３２が回転軸Ｓに押し付けられて内輪２１は回転軸Ｓに対して回り止めされる。
止めねじ３０を構成する止めねじ本体３１、押圧ボール３２、板ばね３３は一体的に取り扱うことができるため、ねじ込み作業が容易である。
【００３２】
回り止めされた状態で、回転軸Ｓが熱膨張等によって微少量変位した場合には、この押圧ボール３２が回転軸Ｓの変位に追随して回転して変位量を吸収するため、回転軸Ｓと非接触の止めねじ本体３１のずれ動きにともなうねじの緩みが抑制されている。
【００３３】
また、止めねじ本体３１を一定量ねじ込むと、その先端部外周が取り付け孔２１ｂの段部２１ｃに当たるため、それ以上深くねじ込めないようになっている。
これにより押圧ボール３２の内輪２１の内径面からの突出許容量（突出可能な量）は一定以下に規制されることになる。
【００３４】
さらに、押圧ボール３２は回転軸Ｓに接することでポケット３１ｂの底に向けて押し込まれると、板ばね３３が圧縮されて弾性反発力が生じ、この弾性反発力により押圧ボール３２は回転軸Ｓに対して常時弾性的に押し付けられることになる。
このような板ばね３３の緩衝作用により、押圧ボール３２が回転軸Ｓに過剰に押し付けられることが防止されている。
【００３５】
以上のように押圧ボール３２は回転軸Ｓに弾性的に押し付けられているため、回転軸Ｓが変位した際には、それに追随してスムーズに回転するようになっている。
したがって、押圧ボール３２が回転軸Ｓに強く押し付けられる場合と比較して追随性能が向上しており、止めねじ本体３１のずれ動きがさらに抑制されて、ねじの緩みが一層防止されている。
【００３６】
また、止めねじ３０を締め付けた際にも、板ばね３３の緩衝作用によって内輪２１に負荷される締め付けトルクが軽減されるため、内輪２１が変形したり破損したりするのが抑制される。
そして押圧ボール３２の回転軸Ｓに対する押し付け力は、板ばね３３の弾性によって一定以下に自動調整される。
そのため、止めねじ本体３１の締め付け具合が過大とならないように微妙に調整する従来のような手間がかからない。
【００３７】
図４から図６に示す第二の実施形態のベアリングユニット１では、その内輪２１を回転軸Ｓに固定する回り止め具および内輪２１の取り付け孔の構造が、第一の実施形態と相違する。
【００３８】
図５のように、この実施形態においては、円孔である取り付け孔２１ｂの内周にはねじ山が形成されていない。
また回り止め具は、取り付け孔２１ｂに差し込まれる押圧体としての押圧こま３６と、内輪２１に外嵌された弾性体としての弾性環状体３４および弾性凸部３５と、を備える。
ここで円柱形の押圧こま３６は、内輪２１の径方向にスライド可能になっており、その先端部が丸みを帯びている。
【００３９】
また、図６のように、ばね鋼などからなる円環形の弾性環状体３４と、弾性環状体３４の内周面の弾性凸部３５とは一体的に形成されている。
弾性環状体３４は、一箇所で環が分割され、環が拡径された状態で内輪２１の外径面に外嵌され、縮径する方向への弾性復元力によって締まりばめされている。
回転軸Ｓに外嵌された内輪２１を全周からほぼ均等に締め付けるため、内輪２１は回転軸Ｓに確実に固定される。
弾性凸部３５は弾性環状体３４の周方向の２個所を外側から内側に向けてプレスすることで形成されており、弾性環状体３４を内輪２１に外嵌した状態で、それぞれ取り付け孔２１ｂに臨んで（はめ込まれて）いる。
【００４０】
押圧こま３６は弾性凸部３５により、回転軸Ｓに弾性的に押し付けられるため、第一の実施形態と同様に過剰な押し付けが防止され、内輪２１の変形破損が簡易に防止されている。
ここで弾性環状体３４と弾性凸部３５とは一体であるため、その取り扱いが容易である。
【００４１】
弾性凸部３５は、上記のほかにも、図７（ａ）のように弾性環状体３４の内周面側への切り起こしにより形成したり、図７（ｂ）のように弾性環状体３４の内周面側に肉厚部を設けることで形成したりしてもよい。
【００４２】
また、図７（ｃ）に示すように、第一の実施形態と同様に取り付け孔２１ｂに段部２１ｃを形成し、押圧こま３６の一部（図では後端に拡径部３６ａを設けている。）がこの段部２１ｃに当たることで押圧こま３６の取り付け孔２１ｂからの突出許容量を規制できるようにしてもよい。
【００４３】
さらに、図７（ｄ）に示すように、押圧体として押圧こま３６の代わりに第一の実施形態と同様の押圧ボール３２を用いてもよい。
これとは逆に、第一の実施形態において、押圧体としての押圧ボール３２のかわりに、第二の実施形態と同様の押圧こま３６を用いてもよい。
【００４４】
図８および図９に他の実施形態のベアリングユニット１を示し、これらの実施形態においては、玉軸受２０の外輪２２を軸受箱１０に対して回り止めしている。
ベアリングユニット１の外輪２２に大きな振れ回り荷重が負荷される場合に、軸受箱１０に対するクリープ（すべり）が起こらないように、外輪２２と軸受箱１０との嵌めあいをタイトにする必要があるため、かかる構成が採用されうる。
【００４５】
図８に示す実施形態においては、外輪２２に軸方向の延長部２２ａを設け、この延長部２２ａに径方向に貫通するねじ孔としての取り付け孔２２ｂを形成している。
取り付け孔２２ｂの外輪２２外径面側には段部２２ｃが形成されている。
そして、第一の実施形態と同様の回り止め具としての止めねじ３０を取り付け孔２２ｂに内径側からねじ込むことで外輪２２を軸受箱１０に固定している。
板ばね３３等の作用については、第一の実施形態と同様であり、外輪２２の変形破損、ねじの緩み等が簡易に防止されている。
【００４６】
また図９に示す実施形態においても、外輪２２に軸方向の延長部２２ａを設け、この延長部２２ａに取り付け孔２２ｂを形成している。
そして、第二の実施形態と同様の回り止め具としての押圧こま３６を取り付け孔２２ｂに差し込んで、弾性環状体３４と弾性凸部３５からなる弾性体によって軸受箱１０の内径面１１に押し付けられている。
【００４７】
この弾性環状体３４は環の一部が分割されており、第二の実施形態とは逆に環を縮径した状態で外輪２２の内径面に内嵌され、拡径する方向への弾性復元力によって締まりばめされている。
また、その弾性凸部３５の構造は第二の実施形態と同様であるが、第二の実施形態と異なって弾性環状体３４の外周面に形成されており、外輪２２の取り付け孔２２ｂに臨んでいる。
弾性凸部３５等の作用については、第二の実施形態と同様であり、外輪２２の変形破損等が簡易に防止されている。
【００４８】
回り止め具や取り付け孔２１ｂ、２２ｂの構造は上記各実施形態に限定されない。
たとえば、弾性体として板ばね３３や弾性凸部３５に代えてコイルスプリングを用い、これを第一の実施形態における止めねじ３０のポケット３１ｂの底と押圧ボール３２の間に組み込んだり、あるいは第二の実施形態における弾性環状体３４と押圧こま３６との間に組み込んだりしてもよい。
また押圧体として角柱形の押圧こま３６を用い、これを取り付け孔２１ｂ、２２ｂとしての角孔にスライド可能に差し込み、弾性体により固定対象に押し付ける構成を採用してもよい。
さらに、第一の実施形態において、取り付け孔２１ｂの構造を簡略化するために、段部２１ｃを省略し、板ばね３３だけで押圧ボール３２の回転軸Ｓへの押し付け力を調整してもよい。
また段部２１ｃ、２２ｃは、実施形態のように内輪２１の内径面側や外輪２２の外径面側の全体に設ける必要はなく、ねじ孔の中途に環状凸形に形成してもよい。
取り付け孔２１ｂ、２２ｂの形成箇所、個数も上記各実施形態に限定されず、たとえば軸方向への延長部２１ａ、２２ａを省略した状態で形成してもよいし、３箇所以上形成してもよい。
【００４９】
上記した各実施形態では、軸受箱１０としてピロー型軸受箱を例示したが、軸受箱１０の構造はこれに限定されず、たとえば角フランジ型軸受箱、テークアップ型軸受箱でもよい。
またピロー型においても、自動調心機能を備えないものでもよい。
さらに給油栓１５、給油口１４、給油溝１３等の軸受箱１０の付属的構造は、発明の効果を損なわない範囲で適宜省略可能である。
【００５０】
また、上記した各実施形態では、転がり軸受として深溝玉軸受２０を例示したが、構造はこれに限定されず、円筒ころ軸受、円錐ころ軸受などのころ軸受でもよい。
さらにシール部材２５、スリンガ２６、給油路２２ｅ等の転がり軸受の付属的構造は、発明の効果を損なわない範囲で適宜省略可能である。
【図面の簡単な説明】
【００５１】
【図１】第一の実施形態のベアリングユニットの断面図
【図２】第一の実施形態のベアリングユニットの正面図
【図３】第一の実施形態のベアリングユニットの要部拡大断面図
【図４】第二の実施形態のベアリングユニットの断面図
【図５】第二の実施形態のベアリングユニットの要部拡大断面図
【図６】第二の実施形態の弾性体の正面図
【図７】第二の実施形態の回り止め具の他の例を示す図
【図８】他の実施形態のベアリングユニットの要部拡大断面図
【図９】さらに他の実施形態のベアリングユニットの要部拡大断面図
【符号の説明】
【００５２】
１  ベアリングユニット
１０  軸受箱
１１  内径面
１２  取り付け部
１３  給油溝
１４  給油口
１５  給油栓
２０  玉軸受
２１  内輪
２１ａ  延長部
２１ｂ  取り付け孔
２１ｃ  段部
２２  外輪
２２ａ  延長部
２２ｂ  取り付け孔
２２ｃ  段部
２２ｄ  外径面
２２ｅ  給油路
２３  玉
２４  保持器
２５  シール部材
２５ａ  リップ
２６  スリンガ
３１  止めねじ本体
３１ａ  角穴
３１ｂ  ポケット
３２  押圧ボール
３３  板ばね
３４  弾性環状体
３５  弾性凸部
３６  押圧こま
３６ａ  拡径部
Ｓ  回転軸
Ｈ  ハウジング
【図１】
2009293764.tif 000003
【図２】
2009293764.tif 000004
【図３】
2009293764.tif 000005
【図４】
2009293764.tif 000006
【図５】
2009293764.tif 000007
【図６】
2009293764.tif 000008
【図７】
2009293764.tif 000009
【図８】
2009293764.tif 000010
【図９】
2009293764.tif 000011